(57)【要約】【課題】油圧式エレベータからロープ式エレベータへのリニューアル工事の時間を短縮する。【解決手段】先ず、油圧式エレベータの昇降路内において、ロープ式エレベータの釣り合い錘及びこの釣り合い錘の昇降を案内する釣り合い錘ガイドレールを鉛直方向に立設する。次に、油圧式エレベータの最上階を不停止に設定した後に、昇降路内で鉛直方向に立設された既存の油圧ジャッキガイドレールの上部にロープ式エレベータの制御盤を固定すると共に、釣り合い錘ガイドレールの上部あるいは昇降路の上方の空き領域にマシンベッドを設置して、このマシンベッド上にロープ式エレベータの巻上機を設置する。そして、油圧式エレベータの運行を全て停止した後に、ロープ式エレベータのメインロープを巻上機へ巻き掛けて、このメインロープの一端を釣り合い錘、他端を乗りかごに連結すると共に、制御盤の配線及び結線作業を行う。【選択図】図１
2012056735.tif 000002
【特許請求の範囲】
【請求項１】
油圧式エレベータの昇降路内において、ロープ式エレベータの釣り合い錘及びこの釣り合い錘の昇降を案内する釣り合い錘ガイドレールを鉛直方向に立設するステップと、
前記油圧式エレベータの最上階を不停止に設定した後に、前記昇降路内で鉛直方向に立設された既存の油圧ジャッキガイドレールの上部に前記ロープ式エレベータの制御盤を固定すると共に、前記釣り合い錘ガイドレールの上部あるいは前記昇降路の上方の空き領域にマシンベッドを設置して、このマシンベッド上に前記ロープ式エレベータの巻上機を設置するステップと、
前記油圧式エレベータの運行を全て停止した後に、前記ロープ式エレベータのメインロープを前記巻上機へ巻き掛けて、このメインロープの一端を前記釣り合い錘、他端を乗りかごに連結すると共に、前記制御盤の配線及び結線作業を行うステップと、
を有することを特徴とする油圧式エレベータのリニューアル方法。
【請求項２】
油圧式エレベータの昇降路内において、ロープ式エレベータの釣り合い錘及びこの釣り合い錘の昇降を案内する釣り合い錘ガイドレールを鉛直方向に立設するステップと、
前記油圧式エレベータの最上階を不停止に設定した後に、前記釣り合い錘ガイドレールの上部に前記ロープ式エレベータの制御盤を固定すると共に、前記釣り合い錘ガイドレールの上部あるいは前記昇降路の上方の空き領域にマシンベッドを設置して、このマシンベッド上に前記ロープ式エレベータの巻上機を設置するステップと、
前記油圧式エレベータの運行を全て停止した後に、前記ロープ式エレベータのメインロープを前記巻上機へ巻き掛けて、このメインロープの一端を前記釣り合い錘、他端を乗りかごに連結すると共に、前記制御盤の配線及び結線作業を行うステップと、
を有することを特徴とする油圧式エレベータのリニューアル方法。
【請求項３】
エレベータの昇降路内において鉛直方向に立設され、釣り合い錘の昇降を案内する釣り合い錘ガイドレールと、
前記昇降路内で鉛直方向に立設された既存の油圧ジャッキガイドレールと、
この油圧ジャッキガイドレールの上部に固定された制御盤と、
前記釣り合い錘ガイドレールの上部あるいは前記昇降路の上方の空き領域に設けられたマシンベッドと、
このマシンベッド上に設けられ、前記釣り合い錘及び乗りかごが両端に連結されたメインロープを巻き上げて前記乗りかごを前記昇降路内を昇降させる巻上機と、
を備えることを特徴とする油圧式エレベータからリニューアルされたロープ式エレベータ。
【請求項４】
エレベータの昇降路内において鉛直方向に立設され、釣り合い錘の昇降を案内する釣り合い錘ガイドレールと、
この釣り合い錘ガイドレールの上部に固定された制御盤と、
前記釣り合い錘ガイドレールの上部あるいは前記昇降路の上方の空き領域に設けられたマシンベッドと、
このマシンベッド上に設けられ、前記釣り合い錘及び乗りかごが両端に連結されたメインロープを巻き上げて前記乗りかごを前記昇降路内を昇降させる巻上機と、
を備えることを特徴とする油圧式エレベータからリニューアルされたロープ式エレベータ。
【発明の詳細な説明】
【技術分野】
【０００１】
本発明の実施形態は、油圧式エレベータのリニューアル方法及び油圧式エレベータからリニューアルされたロープ式エレベータに関する。
【背景技術】
【０００２】
近年、油圧式エレベータをロープ式マシンレスエレベータへ変更する工事が行われている。従来、このリニューアル工事の内容は、（１）既設の油圧式エレベータを完全に撤去し、新しいロープ式マシンレスエレベータに入れ替える全撤去リニューアル、（２）ホールドアなどのホール用品のみ既設品を使用する準撤去リニューアル、の２種類であった。しかしながら、いずれのリニューアル方法においても、撤去用品や据付用品の多さから工事期間が非常に長くなるため、その工事期間中はエレベータを利用できなかった。
【０００３】
この問題を解消するために、以下の（１）〜（４）からなるリニューアル方法が知られている。  
（１）ホール用品に加えて、乗りかご及びガイドレールも既設品を利用する。  
（２）釣り合い錘及び釣り合い錘用のレールは空きスペースに配置する。  
（３）昇降路上部にマシンベッドなどヤグラ用品を設置し、そこに巻上機を配置する。  
（４）既設の乗りかごにロープ式エレベータに変更するためのシーブ梁を追加する。  
このように、既設品をより多く使用し、新規の据付用品を少なくすることで工事期間の短縮が図られている。
【０００４】
また、以下のようにリニューアル工事を三段階に分けることで工事期間の短縮を図る工法も知られている。  
（第一段階）例えば、空きスペースへの釣り合い錘の設置など既設の油圧式エレベータの運行に支障のない部分の工事を行う。ただし、一日の工事中はエレベータの利用はできない。
【０００５】
（第二段階）最上階を不停止階として、最上階にマシンベッドなどのヤグラ周り、巻上機の設置などを実施。ただし、一日の工事終了後も最上階についてはエレベータを利用できない。
【０００６】
（第三段階）エレベータの運行を全て停止し、乗りかご周りの改造、制御盤などの電気機器類の取付・変更、ロープ引き回しなどを行い、油圧式エレベータからロープ式エレベータへの完全切り替えを実施。
【先行技術文献】
【特許文献】
【０００７】
【特許文献１】特開２０１０−１１６２３１号公報
【発明の概要】
【発明が解決しようとする課題】
【０００８】
しかしながら、上記の技術においては、エレベータの運行を完全に停止してから制御盤の取付を実施しているため、利用者がエレベータを使用できない時間が長くなってしまうという問題があった。
【０００９】
そこで、本発明は、上記従来技術の問題に鑑み、油圧式エレベータからロープ式エレベータへのリニューアル工事の時間を短縮できる油圧式エレベータのリニューアル方法及び油圧式エレベータからリニューアルされたロープ式エレベータを提供することを目的とする。
【課題を解決するための手段】
【００１０】
本発明の一実施形態に係る油圧式エレベータのリニューアル方法は、先ず、油圧式エレベータの昇降路内において、ロープ式エレベータの釣り合い錘及びこの釣り合い錘の昇降を案内する釣り合い錘ガイドレールを鉛直方向に立設する。次に、油圧式エレベータの最上階を不停止に設定した後に、昇降路内で鉛直方向に立設された既存の油圧ジャッキガイドレールの上部にロープ式エレベータの制御盤を固定すると共に、釣り合い錘ガイドレールの上部あるいは昇降路の上方の空き領域にマシンベッドを設置して、このマシンベッド上にロープ式エレベータの巻上機を設置する。そして、油圧式エレベータの運行を全て停止した後に、ロープ式エレベータのメインロープを巻上機へ巻き掛けて、このメインロープの一端を釣り合い錘、他端を乗りかごに連結すると共に、制御盤の配線及び結線作業を行う。
【図面の簡単な説明】
【００１１】
【図１】本発明の一実施形態に係る油圧式エレベータのリニューアル方法を用いてリニューアルされたロープ式エレベータの縦断面図。
【図２】図１に示すロープ式エレベータの上面図。
【図３】リニューアル前の油圧式エレベータの縦断面図。
【図４】図３に示す油圧式エレベータの上面図。
【図５】本発明の一実施形態に係る油圧式エレベータのリニューアル方法を用いてリニューアルされたロープ式エレベータの要部拡大図。
【図６】本発明の一実施形態に係る油圧式エレベータのリニューアル方法を用いてリニューアルされたロープ式エレベータの要部拡大図。
【発明を実施するための形態】
【００１２】
以下、本発明の実施形態について図１乃至図６を参照して詳細に説明する。図１は、本発明の一実施形態に係る油圧式エレベータのリニューアル方法を用いてリニューアルされたロープ式エレベータの縦断面図である。また、図２は、図１に示すロープ式エレベータの上面図である。これに対し、図３は、リニューアル前の油圧式エレベータの縦断面図であり、図４は、図３に示す油圧式エレベータの上面図である。尚、図１において付された符号と同一の符号は同一の対象を示す。
【００１３】
図１及び図２に示されるように、本実施形態に係る油圧式エレベータのリニューアル方法を用いてリニューアルされたロープ式エレベータは、昇降路１内において鉛直方向に立設された一対の乗りかごガイドレール２上を乗りかご３が四隅に接続された昇降案内装置４に導かれながら昇降する。また、昇降路１内には、乗りかごガイドレール２とは別に、図３及び図４に示されるリニューアル前の油圧式エレベータで使用されていた一対の油圧ジャッキガイドレール５が鉛直方向に立設されており、この油圧ジャッキガイドレール５上には返し車６が固定された返し車支持台７がスライド可能に取り付けられたまま残されている。また、油圧ジャッキガイドレール５の間には油圧ジャッキ台８、シリンダ９及びプランジャ１０からなる油圧ジャッキが残されている。しかし、油圧ジャッキ及び返し車６などの残存物は、ロープ式エレベータへのリニューアル後はエレベータの運行には使用されない。
【００１４】
また、図３及び図４に示される油圧式エレベータは、油圧ジャッキのプランジャ１０の頂点部に返し車支持台７が固定され、返し車６に巻き掛けられたメインロープ１１の一端に乗りかご３を連結し、メインロープ１１の他端を油圧ジャッキ下部の油圧ジャッキ台８に連結することで、昇降路１に隣接した機械室に設置された油圧ジャッキパワーユニット（図示省略する）の油圧力により油圧ジャッキの昇降と共にかご室を上昇させる方式である。
【００１５】
しかし、図１に示されるリニューアル後のロープ式エレベータでは、乗りかご３と油圧ジャッキ台８とのメインロープ１１での連結は解除されており、油圧ジャッキガイドレール５の上部にはリニューアル後のロープ式エレベータを制御する制御盤１２が制御盤取付ブラケット１３によって取り付けられている。更に、昇降路１内の空きスペースには、釣り合い錘１４を昇降案内する一対の釣り合い錘ガイドレール１５が鉛直方向に立設されており、この釣り合い錘ガイドレール１５の上部にはマシンベッド１６が設けられている。マシンベッド１６の上には、巻上機１７が設置され、一端が巻上機１７を介して乗りかご３に連結され、他端が釣り合い錘１４に連結されたメインロープ１８が巻上機１７に巻き掛けられている。これにより、巻上機１７の駆動力によって乗りかご３が乗りかごガイドレール２上を昇降可能になり、ロープ式エレベータへリニューアルされている。
【００１６】
以下、図３及び図４に示される既設の油圧式エレベータから図１及び図２に示されるロープ式エレベータへのリニューアル作業の手順を詳細に説明する。
【００１７】
先ず、昇降路１内の空きスペースへの釣り合い錘１４の設置など既設の油圧式エレベータの運行に支障のない部分の工事を行う（以下、「第一段階」という。）。ただし、一日の工事中はエレベータの利用はできない。
【００１８】
次に、油圧式エレベータの最上階を不停止階に設定し、最上階にマシンベッド１６などのヤグラ周り、マシンベッド１６上への巻上機１７の設置などを実施すると共に、従来はエレベータの運行を完全停止してから実施していた制御盤１２の取付を行う（以下、「第二段階」という。）。図５及び図６は、本発明の一実施形態に係る油圧式エレベータのリニューアル方法を用いてリニューアルされたロープ式エレベータの要部拡大図である。図５においては、制御盤１２は油圧ジャッキガイドレール５の上部側に制御盤取付ブラケット１３を介して取り付けられている。また、制御盤１２の固定は天井フック１９に支持索２０によって仮固定が行われている。この天井フック１９への仮固定は、油圧ジャッキガイドレール５への固定後には行わなくてもよいが、耐震対策の一つとして残してもよい。これに対し、図６においては、制御盤１２は新設された釣り合い錘ガイドレール１５の上部に取り付けられている。制御盤取付ブラケット１３は耐震対策などでレールサイズが変更されても共通に取付可能なブラケットとすると好適である。このように、制御盤１２を既存設備あるいはエレベータの運行を妨げずに新設できる設備に取り付けることで、第二段階での取付が可能である。すなわち、最上階を不停止にする以外についてはエレベータの運行に支障はない。
【００１９】
最後に、油圧式エレベータの運行を全て停止し、油圧ジャッキと乗りかご３とを連結している油圧式エレベータ用のメインロープ１１を解き、乗りかご３周りの改造・変更（メインロープ１８を掛けるシーブ梁の追加など）、ロープ式エレベータ用のメインロープ１８の一端を釣り合い錘１４、他端を乗りかご３に連結（ロープ引き回し）を実施する。そして、制御盤１２の配線及び結線作業を行い、油圧式エレベータからロープ式エレベータへの完全切り替えを実施する（以下、「第三段階」という。）。尚、油圧式エレベータの既存設備の内、再利用していないものは、エレベータの運行を妨げないのであれば、油圧ジャッキパワーユニット（図示省略する）の作動油の抜き取りや返し車６などの撤去は必要に応じてリニューアル後に行えば十分である。
【００２０】
このように、従来はエレベータの全運行を停止する必要がある第三段階で行っていた制御盤１２の取付作業を既存設備である油圧ジャッキガイドレール５などを有効活用することで、エレベータを最上階のみ不停止とする第二段階において実施できる。この結果、第三段階ではモーター線などの配線作業や結線作業のみを行うだけで済むため、エレベータを完全に利用できない第三段階の時間を大幅に短縮することができる。
【００２１】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１…昇降路
２…乗りかごガイドレール
３…乗りかご
４…昇降案内装置
５…油圧ジャッキガイドレール
６…返し車
７…返し車支持台
８…油圧ジャッキ台
９…シリンダ
１０…プランジャ
１１…メインロープ
１２…制御盤
１３…制御盤取付ブラケット
１４…釣り合い錘
１５…釣り合い錘ガイドレール
１６…マシンベッド
１７…巻上機
１８…メインロープ
１９…天井フック
２０…支持索
【図１】
2012056735.tif 000003
【図２】
2012056735.tif 000004
【図３】
2012056735.tif 000005
【図４】
2012056735.tif 000006
【図５】
2012056735.tif 000007
【図６】
2012056735.tif 000008